(57)【要約】      （修正有）【課題】詰め替え用シャンプー＆リンスや液体ボディーソープ及び詰め替え用液体洗剤等、並びにレトルトカレー食品類等袋容器移し替え巻き込み注入器を提供する。【解決手段】握り回転棒Ｂに袋容器挟み棒本体Ａを差し込む、袋容器挟み棒差し込み穴ｂを設ける。袋容器挟み棒本体Ａに詰め替え用シャンプー＆リンスや液体ボディーソープ袋容器、及び詰め替え用液体洗剤等袋容器、並びにレトルトカレー食品類等の袋容器の注入口を下にして挟んで巻き込みする、袋容器挟み巻き込み口Ｘを設けた。【選択図】図１０
2016011163.tif 000002
【特許請求の範囲】
【請求項１】
袋容器挟み棒本体（Ａ）に袋容器巻き込み挟み口（Ｘ）を設け、袋容器挟み棒本体（Ａ）を握り回転棒（Ｂ）に差し込む、挟み棒差し込み穴（ｂ）を設けた、組み立て式及び固定式詰め替え用シャンプー＆リンスや液体ボディーソープ及び液体洗剤等を専用ボトルや他の容器に移し替えをする、詰め替え用袋容器移し替え巻き込み注入器、並びにレトルトカレー等食品類などを皿や他の食器などへ移し替えするレトルト食品類等移し替え袋容器巻き込み注入器である。
【発明の詳細な説明】
【技術分野】
【０００１】この発明は詰め替え用シャンプー＆リンスや液体ボディーソープ及び詰め替え用液体洗剤等を専用ボトルや他の容器へ移し替えする詰め替え用袋容器移し替え巻き込み注入器、並びにレトルトカレー食品類等を皿や他の食器類に移し替えするレトルトカレー食品類等袋容器巻き込み注入器である。
【背景技術】
【０００２】従来詰め替え用シャンプー＆リンスや液体ボディーソープ及び液体洗剤等などを専用のボトル容器や他の容器に移し替えする時や、レトルトカレー等食品類を皿や他の食器などに移し替えする時は袋容器を指で押しこんで移し替えていたが、その為シャンプー＆リンスや液体ボディーソープ及び液体洗剤等など別容器に移し替える場合は詰め替え用袋容器の中に少量のシャンプー＆リンスや液体ボディーソープなど及び液体洗剤等、並びに袋容器の中のレトルトカレー等食品類など、袋容器の中の製品に粘度がある為、多少残ってしまい全部出しきれない場合があり、移し替えるのに指や手を汚してしまうことがあり、その為時間を要して不便であった。又レトルトカレー等食品は袋容器ごと加熱するので食器類に移し替える場合に手や指を火傷することもあったので危険で不便であった。
【発明の開示】
【発明が解決しようとする課題】
【０００３】これは、次のような欠点があった。
従来詰め替え用シャンプー＆リンスや液体ボディーソープ及び液体洗剤等などを専用のボトル容器などに他の容器などに移し替えする時や、レトルトカレー等食品類を皿や他の食器などに移し替えする時は袋容器を指で押しこんで移し替えていたがその為シャンプー＆リンスや液体ボディーソープ及び液体洗剤等など別容器に移し替える場合は詰め替え用袋容器の中に少量のシャンプー＆リンスや液体ボディーソープ及び液体洗剤等など、並びに袋容器の中のレトルトカレー等食品類など、袋容器の中の製品に粘度がある為、多少残ってしまい全部出しきれない場合があり、移し替えるのに指や手を汚してしまうことがあり、その為時間を要して不便であった。又レトルトカレー等食品類は袋容器ごと加熱するので食器類に移し替える場合に手や指を火傷することもあったので危険で不便であった。本発明は以上のような欠点をなくすためになされたものである。
【課題を解決するための手段】
【０００４】握り回転棒（Ｂ）に袋容器挟み棒本体（Ａ）を差し込む、袋容器挟み棒本体差し込み穴（ｂ）設け、袋容器挟み棒本体（Ａ）に詰め替え用シャンプー＆リンスや液体ボディーソープ及び液体洗剤等、並びにレトルトカレー食品類等を挟み込む、袋容器挟み巻き込み口（Ｘ）を設けた詰め替え用シャンプー＆リンスや液体ボディーソープ及び詰め替え用液体洗剤等を専用ボトル容器や他の容器に移し替える詰め替え用袋容器巻き込み注入器、並びにレトルトカレー等食品類を皿や他の食器類に移し替えするレトルト食品類等袋容器巻き込み注入器である。本発明は以上の構成よりなるものである。
【発明の効果】
【０００５】詰め替え用シャンプー＆リンスや液体ボディーソープ及び詰め替え用液体洗剤等を専用ボトル容器や他の容器に移し替える時は袋容器挟み棒本体（Ａ）に設けてある袋容器挟み巻き込み口（Ｘ）にシャンプー＆リンスや液体ボディーソープ及び詰め替え用液体洗剤等の袋容器の切り取り注入口を下にして、底部分の詰め替え用袋容器の底をたたみ袋容器挟み棒本体（Ａ）に設けてある詰め替え用袋容器挟み巻き込み口（Ｘ）に袋容器の切り取り注入口を下にして袋容器の底部分全体を挟み、握り回転棒（Ｂ）を１回転しながら巻き込み、次に詰め替え用シャンプー＆リンスや液体ボディーソープ及び詰め替え用液体洗剤等の詰め替え用袋容器の開け口を上にして開け口を切断して開封したシャンプー＆リンスや液体ボディーソープ及び詰め替え用液体洗剤等の専用ボトル容器や他の容器の注入口に詰め替え用袋容器の切り口を差し込み、握り回転棒（Ｂ）を回転しながら巻き込み、袋容器挟み棒本体（Ａ）に巻き込んだ詰め替え用袋容器を指で押しこみながら下に圧力を掛け袋容器挟み棒本体（Ａ）に巻き付けていけば簡単に専用ボトルや他の容器に詰め替え用袋容器にシャンプーやリンスや液体ボディーソープ及び詰め替え用液体洗剤等を残さずに移し替えることが出来る。レトルトカレー等食品類の場合は加熱したレトルトカレー等食品類の袋容器の開け口を下にしてレトルトカレー食品類等の袋容器の底を袋容器挟み棒本体（Ａ）に設けてある袋容器挟み巻き込み口（Ｘ）に挟み、握り回転棒（Ｂ）を１回転しながら巻き付けたら、レトルトカレー食類等の袋容器の開け口を上にして開け口を切断し開封し、次にレトルトカレー食品類等の切り口を開けた袋容器を下にして皿や食器類に指で下に圧力を掛け押しこみながら、握り回転棒（Ｂ）を回転しながらレトルトカレー等の袋容器を袋容器挟み棒本体（Ａ）に巻き付け、袋容器全体を下に圧力を掛けて（Ａ）に巻きつけていけば簡単に皿や食器類に移し替えすることが出来る。
【発明を実施する為の裁量の形態】
【００６】以下、本発明を実施する為の最良の形態について説明する。
握り回転棒（Ｂ）に袋容器挟み棒本体（Ａ）を差し込む、袋容器挟み棒差し込み穴（ｂ）を設ける。袋容器挟み棒本体（Ａ）に詰め替え用シャンプー＆リンスや液体ボディーソープ袋容器及び詰め替え用液体洗剤等袋容器、並びにレトルトカレー食品類の袋容器の切り取注入口を下にして挟んで巻き込みする、袋容器挟み巻き込み口（Ｘ）を設けた。本発明は以上のような構成である。
【図面の簡単な説明】
【０００７】
【図１】袋容器挟み棒本体（Ａ）長辺方向縦立面図
【図２】袋容器挟み棒本体（Ａ）長辺方向上立面図
【図３】袋容器挟み棒本体（Ａ）長辺方向下立面図
【図４】握り回転棒（Ｂ）短辺方向断面図及び握り回転棒（Ｂ）長辺方向断面図並びに握り回転棒（Ｂ）後ろ立面図
【図５】組み立てた移し替え巻き込み注入器長辺方向縦立面図
【図６】組み立てた移し替え巻き込み注入器長辺方向上立面図
【図７】組み立てた移し替え巻き込み注入器長辺方向下立面図
【図８】組み立てた移し替え巻き込み注入器短編方向前立面図及び組み立てた移し替え巻き込み注入器後ろ立面図
【図９】組み立て方法を表わした移し替え巻き込み注入器図鳥瞰図
【図１０】組み立てた移し替え巻き込み注入器鳥瞰図
【符号の説明】
【０００８】（Ａ）  袋容器挟み棒本体
（Ｂ）  握り回転棒
（ｂ）  袋容器挟み棒本体差し込み穴
（Ｘ）  袋容器挟み巻き込み口
【図１】
2016011163.tif 000003
【図２】
2016011163.tif 000004
【図３】
2016011163.tif 000005
【図４】
2016011163.tif 000006
【図５】
2016011163.tif 000007
【図６】
2016011163.tif 000008
【図７】
2016011163.tif 000009
【図８】
2016011163.tif 000010
【図９】
2016011163.tif 000011
【図１０】
2016011163.tif 000012